(57)【要約】【課題】  透明遊技盤に電気的部材を設けても、透明遊技盤の美観を損なうことがない遊技機を提供すること。【解決手段】  その裏側が視認可能な透明遊技盤１４を備え、透明遊技盤１４には、遊技機が備える制御基板からの電気信号により駆動する電気的部材（ソレノイド３５、３７）が設けられたパチンコ遊技装置１０であって、透明遊技盤１４の表面には、制御基板と電気的部材とを電気的に接続し、かつ、透光性を有する透明電極２１が設けられていることを特徴とするパチンコ遊技装置１０。【選択図】    図１
2005087600.tif 000002
【特許請求の範囲】
【請求項１】
その裏側が視認可能な透明遊技盤を備え、
前記透明遊技盤には、遊技機が備える制御基板からの電気信号により駆動する電気的部材が設けられた遊技機であって、
前記透明遊技盤の表面には、前記制御基板と前記電気的部材とを電気的に接続し、かつ、透光性を有する透明電極が設けられていることを特徴とする遊技機。
【請求項２】
前記透明電極は、インジウム−スズ酸化物（ＩＴＯ）からなる請求項１に記載の遊技機。
【請求項３】
前記透明電極は、透光性部材により被覆されている請求項１又は２に記載の遊技機。
【請求項４】
前記透明遊技盤が取り付けられる枠が設けられ、
前記枠と前記透明遊技盤との接触部分の各々に、制御基板と電気的部材とを電気的に接続するための接点が設けられている請求項１〜３のいずれか１に記載の遊技機。
【発明の詳細な説明】
【技術分野】
【０００１】
本発明は、例えば、パチンコ遊技装置等の遊技機に関する。
【背景技術】
【０００２】
従来から、遊技盤上に遊技球を打ち出して遊技を行う遊技機として、パチンコ遊技装置が知られている。このようなパチンコ遊技装置では、発射ハンドルが操作されることにより遊技球が遊技盤上に打ち出され、遊技球が遊技盤上に植設された障害釘に衝突しながら落下する。遊技盤には、通常、左右への往復運動が可能な２つの可動片を有する始動口が設けられており、始動口に遊技球が入ると、遊技盤に設けられた表示装置において、複数の識別情報画像が所定期間にわたって変動表示された後に停止表示され、停止表示された識別情報画像の組み合わせが所定の組み合わせとなったときに、大当たり遊技が発生する。
【０００３】
遊技盤には、始動口のほかに、入賞口や大入賞口が設けられており、入賞口に遊技球が入ると、所定数の遊技球が払い出される。大入賞口には、開閉動可能なシャッタが設けられており、大当たり遊技が発生すると、断続的にシャッタの開閉動が行われる。大入賞口に遊技球が入ったときには所定数の遊技球が払い出される。遊技盤には、その他にも装飾用のランプ等が設けられており、このようなランプは遊技状況に応じて点灯したり点滅したりする。
【０００４】
このように、遊技盤上には種々の装置が設けられており、これらの装置の動作等によって遊技者は遊技状況を把握することができるため、遊技盤は遊技者に最も注目されるものの一つであり、このような点から遊技盤上における演出は非常に重要視されている。そのような遊技機として、例えば、その裏側が視認可能な透明遊技盤を備えた遊技機が存在する（例えば、特許文献１参照）。特許文献１に記載された遊技機によれば、例えば、透明遊技盤の裏側に表示装置等を配置し、透明遊技盤の全面を用いた迫力のある演出等を行うことが可能となる。
【０００５】
【特許文献１】特開平１１−３４７１９０号公報
【発明の開示】
【発明が解決しようとする課題】
【０００６】
ところで、始動口の可動片や、大入賞口のシャッタ等は、モータやソレノイド等によって駆動するものであり、装飾用のランプもＬＥＤ等により構成されている。通常、これらの電気的部材はパチンコ遊技装置が備える制御基板からの電気信号によって駆動するため、両者を配線によって電気的に接続する必要がある。
【０００７】
しかし、特許文献１に記載の遊技機のように、遊技盤を透明にすると、配線が遊技者に視認可能となってしまい、美観が損なわれるという問題がある。遊技盤は、上述したように、遊技者が最も注目するものであることから、その美観が損なわれると、遊技に対する興味や関心が失われてしまい、遊技盤を透明としたことによる演出効果を充分に享受することができないおそれがある。
【０００８】
本発明は、上述した課題に鑑みてなされたものであり、その目的は、透明遊技盤に電気的部材を設けても、透明遊技盤の美観を損なうことがない遊技機を提供することにある。
【課題を解決するための手段】
【０００９】
上述した課題を解決するために、本発明は、以下のようなものを提供する。
（１）その裏側が視認可能な透明遊技盤（例えば、透明遊技盤１４）を備え、
上記透明遊技盤には、遊技機が備える制御基板からの電気信号により駆動する電気的部材（例えば、ソレノイド３５、３７）が設けられた遊技機であって、
上記透明遊技盤の表面には、上記制御基板と上記電気的部材とを電気的に接続し、かつ、透光性を有する透明電極（例えば、透明電極２１）が設けられていることを特徴とする遊技機（図１、図３参照）。
【００１０】
（２）  上記（１）に記載の遊技機であって、
上記透明電極は、インジウム−スズ酸化物（ＩＴＯ）からなることを特徴とする。
【００１１】
（３）  上記（１）又は（２）に記載の遊技機であって、
上記透明電極は、透光性部材（例えば、透明フィルム１３）により被覆されていることを特徴とする（図３参照）。
【００１２】
（４）  上記（１）〜（３）のいずれか１に記載の遊技機であって、
上記透明遊技盤が取り付けられる枠（例えば、枠２９）が設けられ、
上記枠と上記透明遊技盤との接触部分の各々に、制御基板と電気的部材とを電気的に接続するための接点（例えば、接点２２、２３）が設けられていることを特徴とする（図１参照）。
【００１３】
（１）の発明によれば、透明遊技盤に、例えば、ソレノイド、モータ、ＬＥＤ等の電気的部材を設けても、配線によって透明遊技盤の美観が損なわれることがない。
【００１４】
（２）の発明によれば、透明電極に、電気的抵抗率が低く導電性に優れたインジウム−スズ酸化物（以下、ＩＴＯともいう）が用いられるため、電気的部材のレスポンスを高めることができる。
【００１５】
（３）の発明によれば、透明電極が透光性部材により被覆されているため、透明電極の耐久性を向上させることができる。また、透光性部材により被覆されるため、透明遊技盤の美観が損なわれることがない。
【００１６】
（４）の発明によれば、透明遊技盤を枠に取り付けることにより、枠と透明遊技盤との各々に設けられた接点が互いに接触して、制御基板と電気的部材とを電気的に接続することが可能になるため、透明遊技盤を遊技機に取り付けるときの配線作業を省略することができ、作業コストを低減することができる。
【発明の効果】
【００１７】
本発明によれば、透明遊技盤に電気的部材を設けても、遊技盤の美観を損なうことがない遊技機を提供することができる。
【発明を実施するための最良の形態】
【００１８】
本発明の実施形態について図面に基づいて説明する。
図１は、本発明に係るパチンコ遊技装置１０を模式的に示す正面図であり、図２は、パチンコ遊技装置１０が備える透明遊技盤１４の部分拡大正面図である。
図１に示すように、パチンコ遊技装置１０が備える本体枠１１には、本体１２が開扉可能に支持されている。本体１２の前面上部には、枠２９が設けられており、この枠２９には透明遊技盤１４が取り付けられる。枠２９の中央部分には、ＬＣＤ（Liquid Crystal Display）等からなる表示装置３２が設けられており、遊技者は、透明遊技盤１４を介して、表示装置３２に表示される各種の画像を視認することが可能である。また、本体１２の取付枠２９の前方には、ガラス板１５が嵌め込まれたフロント扉１６が設けられている。
【００１９】
透明遊技盤１４には、図２に示すように、複数の障害釘が立設されるとともに、左右に所定範囲で往復運動可能な２つの可動片５８ａ、５８ｂを有する始動装置４４や、開閉動可能なシャッタ４０を有する大入賞装置３８等が設けられ、略円環形状のガイドレール３０が垂設されている。可動片５８ａ、５８ｂと、シャッタ４０とには、それぞれ電気的部材であるソレノイド（図示せず）が接続されており、これらのソレノイドには、透明遊技盤１４の裏面に形成された透明電極２１が接続されている。この透明電極２１は、ＩＴＯからなり、透明遊技盤１４の外周部分まで延設され、透明電極２１の端部には、所定の面積を有する接点２２が形成されている。
【００２０】
一方、図１に示すように、枠２９の表面で、透明遊技盤１４に形成された接点２２との接触部分（枠２９の右下部分）には、接点２３が形成されている。この接点２３には、パチンコ遊技装置１０の裏面側に取り付けられた制御基板（図示せず）から導出されたリード線２４が接続されている。
【００２１】
従って、枠２９に透明遊技盤１４を取り付けることにより、透明遊技盤１４の接点２２と枠２９の接点２３とを接触させることができ、制御基板とソレノイドとを電気的に接続することができる。その結果、制御基板からの電気信号によりソレノイドを駆動させ、可動片５８ａ、５８ｂの左右への所定範囲での往復運動や、シャッタ４０の開閉動を行うことが可能になる。
【００２２】
また、本体１２の前面下部には、貸球及び賞球を受止める上皿３、その満杯時に球出口３９の内方で溢れた球を受止める下皿４、並びに、ハンドル５０を備える発射装置８２が設けられている。上皿３には、効果音やＢＧＭ、エラー音等を出力するスピーカ６が内蔵されているとともに、パチンコ遊技装置１０に隣接して設置されている図示しない台間機から球貸し等をする操作スイッチ部３１が設けられている。
なお、本発明において、パチンコ遊技装置１０とは、発射球数と所定の入賞口（例えば、始動装置４４により構成される始動口等）への入賞数とに応じて、所定の入賞口への入賞率を調整することが可能なパチコン機をも含む概念である。
【００２３】
次に、本発明の遊技機における電気的部材と枠との接触部分について説明する。
図３は、透明遊技盤１４と枠２９との接触部分（接点２２、２３の接触部分）を模式的に示す部分拡大断面図である。
なお、図３は、透明遊技盤１４が枠２９に嵌め込まれた様子を示している（図１参照）。
【００２４】
透明遊技盤１４は、枠２９に嵌め込まれ、枠２９に形成された鈎部２９ａにより枠２９に固定されている。透明遊技盤１４の裏面には、透明電極２１が形成されている。透明電極２１は、図３では示していないが、上述したように、電気的部材であるソレノイドに接続されている。また、透明電極２１を含む透明遊技盤１４の表面（裏面）には透明フィルム１３が貼着されており、透明電極２１は透明フィルム１３により被覆されている。
【００２５】
透明電極２１の一部（下部）には、接点２２が形成されている。接点２２は、透明フィルム１３によって被覆されずに露出しており、枠２９の表面に形成された接点２３と接触している。枠２９の接点２３は、例えば、導電性の高い金属板からなるものである。この接点２３には、制御基板（図示せず）から導出されたリード線２４が接続されている。
【００２６】
図３に示すように、パチンコ遊技装置１０では、透明遊技盤１４と枠２９との接触部分の各々に、制御基板と電気的部材とを電気的に接続するための接点２２、２３が設けられているため、透明遊技盤１４を枠２９に取り付けることにより、枠１４と透明遊技盤２９との各々に設けられた接点２２、２３が互いに接触して、制御基板とソレノイド（電気的部材）とを電気的に接続することが可能になる。その結果、透明遊技盤１４をパチンコ遊技装置１０に取り付けるときの配線作業を省略することができ、作業コストを低減することができる。
【００２７】
次に、本発明における透明遊技盤への電気的部材の取付構造について説明する。
図４は、透明遊技盤１４の一部（大入賞装置３８の設置部分）を模式的に示す拡大水平断面図である。
透明遊技盤１４の裏面には、透明電極２１が形成され、透明電極２１を含む透明遊技盤１４の表面（裏面）には透明フィルム１３が貼着されており、透明電極２１は透明フィルム１３により被覆されている。また、透明遊技盤１４には、取付孔１４ａが形成されており、この取付孔１４ａの内面の一部には、接点１７が形成され、接点１７は透明電極２１と接続されている。
【００２８】
また、取付孔１４ａには、大入賞装置３８が嵌め込まれている。大入賞装置３８は、開閉動可能に構成されたシャッタ４０と、シャッタの開閉動を行うソレノイド（大入賞口ソレノイド）３５と、大入賞装置３８内に設置されたＶシーソー（図示せず）を揺動させるソレノイド（特定領域誘導ソレノイド）３７とを備えている。なお、図示しないが、Ｖシーソーは、大入賞装置３８内にある特定領域（所謂Ｖゾーン）へ遊技球を誘導するためのものである。また、大入賞装置３８には、接点１９が形成されている。この接点１９は、ソレノイド３５、３７とリード線（図示せず）により電気的に接続されている。
【００２９】
大入賞装置３８の接点１９は、透明遊技盤１４の取付孔１４ａに形成された接点１７と接触しており、ソレノイド３５、３７と、制御基板（図示せず）とが電気的に接続されている。従って、制御基板からの電気信号によりソレノイド３５、３７を駆動させることができる。
【００３０】
図４に示すように、パチンコ遊技装置１０では、透明遊技盤１４と大入賞装置３８との接触部分の各々に、透明電極２１とソレノイド３５、３７（電気的部材）とを電気的に接続するための接点１７、１９が設けられているため、透明遊技盤１４の取付孔１４ａに大入賞装置３８を取り付けることにより、透明遊技盤１４と大入賞装置３８との各々に設けられた接点１７、１９が互いに接触して、制御基板とソレノイド３５、３７（電気的部材）とを電気的に接続することが可能になる。その結果、透明遊技盤１４に大入賞装置３８を取り付けるときの配線作業を省略することができ、作業コストの低減を図ることができる。
【００３１】
図１〜図４を用いて説明したように、パチンコ遊技装置１０によれば、透明遊技盤１４に電気的部材（例えば、ソレノイド３５、３７等）を設けても、配線によって遊技盤の美観が損なわれることがない。
【００３２】
以上、本発明の実施形態に係るパチンコ遊技装置１０について説明したが、本発明において、透明遊技盤の形状は、特に限定されるものではなく、例えば、図１に示した透明遊技盤１４のように、矩形状であってもよく、また、円形状や、楕円形状等であってもよい。また、透明遊技盤１４の厚さは、その材質や強度等を考慮して適宜設定することが可能である。
【００３３】
また、本発明において、透明遊技盤の構成としては、例えば、以下のようなものを採用することができる。
図５（ａ）〜（ｃ）は、本発明の遊技機に係る透明遊技盤の他の一例を模式的に示す斜視図である。なお、図５においては、同一の構成要素に同一の符号を付した。
図５（ａ）に示した透明遊技盤１８は、その上部が透明基板１８ａからなり、下部が木板１８ｂからなるものである。また、図５（ｂ）に示した透明遊技盤１８は、木板１８ｂの中央部分が所定形状に刳り貫かれており、その部分に透明基板１８ａが嵌め込まれている。
また、図５（ｃ）に示した透明遊技盤１８は、透明基板１８ａの表面に非透明フィルム１８ｃが貼着されており、透明基板１８ａの中央部分のみが透明となっている。
【００３４】
本発明において、透明遊技盤は、図５（ａ）〜（ｃ）に示したように、その一部が透明であるものであってもよく、必ずしも、図１に示したように、透明遊技盤の全面が透明である必要はない。また、その一部が透明である透明遊技盤を採用する場合、透明電極は、少なくとも透明な部分に設けられていればよく、必ずしも、非透明な部分に透明電極が設けられる必要はない。
【００３５】
また、上記透明遊技盤の材質としては、特に限定されるものではなく、例えば、ポリカーボネート、ポリエチレンテレフタレート、メタクリル樹脂等の樹脂基板や、ガラス基板等を用いることができる。また、透明遊技盤に透明電極を形成する際には、予め透明遊技盤の表面にシリカ（ＳｉＯ２）膜を生成してもよい。透明遊技盤がソーダガラス基板からなる場合には、シリカ膜をアルカリバリアのための下地膜とすることができるからであり、透明遊技盤が樹脂基板からなる場合には、酸素透過防止や透明遊技盤と透明電極との密着性の向上を図ることができるからである。
【００３６】
上記透明電極としては、特に限定されるものではなく、例えば、インジウム−スズ酸化物（ＩＴＯ）、酸化亜鉛（ＺｎＯ）、酸化スズ（ＳｎＯ２）等を用いることができる。なかでも、透明電極は、インジウム−スズ酸化物（ＩＴＯ）からなることが望ましい。電気的抵抗率が低く導電性に優れているため、電気的部材のレスポンスを高めることができるからである。また、酸化亜鉛を用いる場合には、例えば、酸化アルミニウムや酸化ガリウム等を添加したものを用いてもよい。また、酸化スズを用いる場合には、例えば、酸化アンチモンやフッ素等をドープしてもよい。
【００３７】
上記透明電極を透明遊技盤の表面に形成する方法としては、特に限定されるものではない。例えば、蒸着法、イオンプレーティング法、スパッタリング法等の成膜法により透明遊技盤の表面に透明導電膜を生成した後、エッチング等により上記透明導電膜を所定の形状にパターニングすることにより、透明電極を透明遊技盤の表面に形成することができる。
【００３８】
また、例えば、透光性フィルタに対して、上述した方法によって透明電極を形成し、透明電極が形成された透光性フィルタを透明遊技盤の表面に貼着することにより、透明電極を透明遊技盤の表面に形成することができる。
【００３９】
上記透明電極は、図１に示したように、透明遊技盤の裏面に設けられていてもよいが、透明遊技盤の表側の面に設けられていてもよい。
【００４０】
上記電気的部材としては、透明遊技盤に設けられるものであれば、特に限定されるものではなく、例えば、ソレノイドやモータ等の駆動部材、ＬＥＤや電球等の発光部材等を挙げることができる。また、上記電気的部材として、例えば、ＬＥＤドットマトリクスディスプレイ、７セグメントディスプレイ、ＬＣＤ、ＥＬ（Electro Luminescence）等の表示装置や、スピーカ等を透明遊技盤に設けることも可能である。
また、遊技球が通過した際に検出信号を制御基板に送信する球検出スイッチを電気的部材として透明遊技盤に設けてもよい。
【００４１】
本発明において、制御基板には、主にゲーム制御を行う主制御基板だけではなく、表示装置への画像表示制御を行う副制御基板等も含まれる。
【００４２】
本発明においては、図３、図４に示したように、透明フィルム等の透光性部材により透明電極が被覆されていることが望ましい。透明電極の耐久性を向上させることができるからである。また、透光性部材により被覆されるため、透明遊技盤の美観が損なわれることがない。なお、本発明においては、透明電極が被覆されていなくてもよい。
【００４３】
透光性部材としては、特に限定されるものではなく、例えば、ポリエチレン、ポリ塩化ビニル、ポリプロピレン、ポリエステル、ポリスチレン、ポリビニルアルコール、ポリアミド、ポリカーボネート、ポリ塩化ビニリデン等からなる透明フィルム等を挙げることができる。
【００４４】
また、透光性部材として透明基板を用い、この透明基板を透明遊技盤に貼り合せることにより、透明遊技盤の表面に形成された透明電極を被覆することとしてもよい。上記透明基板としては、上述した透明遊技盤と同様の材質のものを用いることができる。また、透明電極が形成された透明遊技盤の表面にコーティング材を塗布することにより、透明電極を被覆することとしてもよい。
【００４５】
本発明においては、図３に示したように、透明遊技盤が取り付けられる枠が設けられ、上記枠と上記透明遊技盤との接触部分の各々に、制御基板と電気的部材とを電気的に接続するための接点が設けられていることが望ましい。透明遊技盤を枠に取り付けることにより、枠と透明遊技盤との各々に設けられた接点が互いに接触して、制御基板と電気的部材とを電気的に接続することが可能になるため、透明遊技盤を遊技機に取り付けるときの配線作業を省略することができ、作業コストを低減することができるからである。
【００４６】
透明遊技盤側の接点の形成方法としては、特に限定されるものではなく、例えば、透明電極の端部の面積が大きくなるように透明電極を形成して当該端部を接点とする方法や、銅箔等の金属箔を透明電極の端部に貼着して当該金属箔を接点とする方法等を挙げることができる。
【００４７】
また、枠側の接点の形成方法としては、特に限定されるものではなく、例えば、枠に金属箔を貼着するとともに当該金属箔に制御基板から導出された配線を接続し、当該金属箔を接点とする方法等を挙げることができる。
【００４８】
また、透明遊技盤の外縁部分に配線を取り付け、配線の一端を透明電極と接続することとしてもよい。このようにした場合、上記配線の他端を制御基板と接続することにより、透明遊技盤に設けられた電気的部材と、制御基板とを電気的に接続することができるため、枠に接点を設ける必要がない。また、透明遊技盤側の接点と、枠側の接点とをコネクタにより構成してもよい。より確実に制御基板と電気的部材とを電気的に接続することが可能になる。
【００４９】
本発明においては、図４に示したように、透明遊技盤と役物（例えば、始動装置４４、大入賞装置３８等）との接触部分の各々に、透明遊技盤に形成された透明電極と役物が備える電気的部材とを電気的に接続するための接点が設けられていることが望ましい。透明遊技盤に役物を取り付けることにより、透明遊技盤と役物との各々に設けられた接点が互いに接触して、制御基板と電気的部材とを電気的に接続することが可能になるため、透明遊技盤に役物を取り付けるときの配線作業を省略することができ、作業コストの低減を図ることができるからである。
【００５０】
本発明においては、必ずしも、図１に示したように、透明遊技盤の裏面側に、表示装置が設けられている必要はない。遊技機自体に表示装置が設けられていなくてもよく、透明遊技盤に表示装置が設けられていてもよい。
【図面の簡単な説明】
【００５１】
【図１】本発明に係るパチンコ遊技装置１０を模式的に示す正面図である。
【図２】パチンコ遊技装置１０の透明遊技盤１４を模式的に示す部分拡大正面図である。
【図３】透明遊技盤１４と枠２９との接触部分を模式的に示す部分拡大断面図である。
【図４】透明遊技盤１４の一部を模式的に示す拡大水平断面図である。
【図５】（ａ）〜（ｃ）は、本発明の遊技機に係る透明遊技盤の他の一例を模式的に示す斜視図である。
【符号の説明】
【００５２】
３  上皿
４  下皿
６  スピーカ
１０  パチンコ遊技装置
１１  本体枠
１２  本体
１４、１８  透明遊技盤
１４ａ  取付孔
１５  ガラス板
１６  フロント扉
１８ａ  透明基板
１８ｂ  木板
１８ｃ  非透明フィルム
１７、１９、２２、２３  接点
２１  透明電極
２４  リード線
２９  枠
２９ａ  鈎部
３０  ガイドレール
３１  操作スイッチ部
３２  表示装置
３５、３７  ソレノイド
３８  大入賞装置
４４  始動装置
５０  ハンドル
８２  発射装置
【図１】
2005087600.tif 000003
【図２】
2005087600.tif 000004
【図３】
2005087600.tif 000005
【図４】
2005087600.tif 000006
【図５】
2005087600.tif 000007